(57)【要約】  第１の開口部を持つ第１の部品（１）に、第２の開口部とキャビティを持つ第２の部品（２）及び第１の部分（３１）及び第２の部分（３２）を持つコネクター（３）を含む装置であって、第２の部分が前記第１の開口部及び前記第２の開口部を通じて前記第１及び第２の部品を接続するために前記キャビティへ挿入されている装置、を分解するため、前記第２の部分（３２）を前記キャビティから押し出すために圧力差を用いるステップを含む。前記圧力差は周囲圧力の第１の変更を含み、例えば前記周囲圧力をゆっくりと増加させ、及び周囲圧力の第２の変更を含み、例えば前記周囲圧力を急激に減少させる。前記装置は、前記第１の変更には応じることなく、前記押し出すための前記第２の変更に応じるように構成される。前記コネクターは脚部の上部分を持つ第３の部分（３３）を含み、前記第１の部分（３１）はヘッド部を含み、及び前記第２の部分（３２）は前記脚部の下部を含む。
2013501195.tif 000002
【特許請求の範囲】
【請求項１】
第１の開口部を持つ第１の部品、第２の開口部とキャビティを持つ第２の部品及び第１の部分及び第２の部分を持つコネクターを含む装置であって、第２の部分が前記第１の開口部及び前記第２の開口部を通じて前記第１及び第２の部品を接続するために前記キャビティへ挿入されている装置、を分解するための方法であり、前記方法は、前記第２の部分を前記キャビティから押し出すために圧力差を用いるステップを含む。
【請求項２】
請求項１に記載の方法であり、前記ステップが：
第１に第１の方法で周囲圧力を変更し、及び
第２に第２の方法で周囲圧力を変更することを含み、
前記第１及び第２の方法が異なる方法であり、前記装置が、前記第１の変更に応じないように構成され、及び前記装置が前記押し出すために前記第２の変更に応じるように構成される、方法。
【請求項３】
請求項２に記載の方法であり、前記第１の方法での前記周囲圧力の変更が第１の速度での前記周囲圧力の増加に対応し、前記第２の方法での前記周囲圧力の変更が第２の速度での前記周囲圧力の減少に対応する、方法。
【請求項４】
請求項３に記載の方法であり、前記第１の速度が第１の圧力変化／時間間隔を定め、前記第２の速度が第２の圧力変化／時間間隔を定め、前記第１及び第２の速度の差が、前記第１の方法での周囲圧力の第１の変更が前記コネクターにより実質的に閉鎖されているけれども前記キャビティに到達でき、前記第２の方法での周囲圧力の第２の変更が前記コネクターに実質的に到達できず、その結果前記コネクターを押し出す、ものである、方法。
【請求項５】
請求項３に記載の方法であり、前記コネクターが第３の部分を含み、前記第１の部分が前記第１の開口部のサイズよりも大きいサイズを持つヘッド部を含み、前記第３部分が前記ヘッド部分に接続される脚部の上部分を含み、前記脚部は、前記第２の部分３２が前記第１及び第２の開口部を通じる際に第１の位置にあり、前記脚部は、前記キャビティに完全に挿入された場合に第２の位置にあり、前記脚部は、前記第２の方法で前記周囲圧力を第２に変更する際に、第３の位置へ動かされ、前記脚部は前記第１及び第３の位置で、前記第２の位置よりもお互いにより近く位置する、方法。
【請求項６】
請求項５に記載の方法であり、前記脚部が、前記第２の位置で前記コネクターをロックするための形状を含む、方法。
【請求項７】
請求項３に記載された方法であり、前記コネクターがバルブ又はベンチラを含む、方法。
【請求項８】
第１の開口部を持つ第１の部品、第２の開口部及びキャビティを持つ第２の部品及び第１の部分及び第２の部分を持つコネクターを含む装置であり、第２の部分は、前記第１及び第２の部品を接続するために前記キャビティ内に前記第１の開口部及び前記第２の開口部を通じて挿入されており、前記装置が、前記第２の部分が前記キャビティから押し出すために圧力差に応じるように構成される、装置。
【請求項９】
請求項８に記載された装置であり、前記圧力差に応じることが：第１の方法での周囲圧力の第１の変更に応じることなく、前記押し出すための第２の方法での前記周囲圧力の第２の変更に応じ、前記第１及び第２の方法が異なる方法である、装置。
【請求項１０】
請求項９に記載の装置であり、前記第１の方法での前記第１の周囲圧力の変更が、第１の速度で前記周囲圧力を増加させることに対応し、前記第２の方法での前記第２の周囲圧力の変更が、第２の速度で前記周囲圧力を減少させることに対応する、装置。
【請求項１１】
請求項１０に記載の装置であり、前記第１の速度が第１の圧力変化／時間間隔を定め、前記第２の速度が第２の圧力変化／時間間隔を定め、前記第１及び第２の速度の差が、前記第１の方法での周囲圧力の第１の変更が前記コネクターにより前記実質的に閉鎖されているけれども前記キャビティに到達でき、前記第２の方法での周囲圧力の第２の変更が前記コネクターに実質的に到達できず、その結果前記コネクターを押し出す、装置。
【請求項１２】
請求項１０に記載の装置であり、前記コネクターが第３の部分を含み、前記第１の部分が前記第１の開口部のサイズよりも大きいサイズを持つヘッド部を含み、前記第３部分が前記ヘッド部分に接続される脚部の上部分を含み、前記脚部は、前記第２の部分３２が前記第１及び第２の開口部を通じる際に第１の位置にあり、前記脚部は、前記キャビティに完全に挿入された場合に第２の位置にあり、前記脚部は、前記第２の方法で前記周囲圧力を第２に変更する際に、第３の位置へ動かされ、前記脚部は前記第１及び第３の位置で、前記第２の位置よりもお互いにより近く位置する、装置。
【請求項１３】
請求項１２に記載の装置であり、前記脚部のそれぞれが、前記第２の位置で前記コネクターをロックする形状を含む、装置。
【請求項１４】
請求項１０に記載の装置であり、前記コネクターがバルブ又はベンチラを含む、装置。
【請求項１５】
請求項８乃至１４のいずれか１項に記載の装置において使用するように構成されるコネクター。
【発明の詳細な説明】
【技術分野】
【０００１】
本発明は、第１の開口部を持つ第１の部品、第２の開口部とキャビティを持つ第２の部品及び第１の部分及び第２の部分を持つコネクターを含む装置の分解方法に関する。本発明はまた、第１の開口部を持つ第１の部品、第２の開口部とキャビティを持つ第２の部品及び第１の部分及び第２の部分を持つコネクターを含む装置に関する。本発明はまたコネクターに関する。かかる装置の例は、消費者用製品と専門家用製品及びかかる製品の部品である。
【背景技術】
【０００２】
文献（「Concepts  and  verification  model  for  pressure  triggered  one-to-many  disassembly  fasteners」by  Barbara  Willems,Wim  Dewulf  and  Joost  R.  Duflou,  Katholieke  Universiteit  Leuven,Mechanical  Engineering  Department,  Belgium）には、圧力下で変形する中空ファスナーが開示されている。圧力が増加すると、前記中空ファスナーは変形し、分解が生じる。このファスナーは比較的複雑な構造である。
【発明の概要】
【発明が解決しようとする課題】
【０００３】
本発明の課題は、比較的単純なコネクターを含む装置を分解するための方法を提供することである。さらに本発明の課題は、比較的単純なコネクターを含む装置、さらに比較的単純なコネクターを提供することである。
【課題を解決するための手段】
【０００４】
本発明の第１の側面によれば、第１の開口部を持つ第１の部品、第２の開口部とキャビティを持つ第２の部品及び第１の部分及び第２の部分を持つコネクターを含む装置であって、第２の部分が前記第１の開口部及び前記第２の開口部を通じて前記第１及び第２の部品を接続するために前記キャビティへ挿入されている装置、を分解するための方法であり、前記方法は前記第２の部分を前記キャビティから押し出すために圧力差を用いるステップを含む。
【０００５】
第１の開口部を持つ第１の部品、第２の開口部及びキャビティを持つ第２の部品及び第１の部分及び第２の部分を持つコネクターを含む装置を組み立てる場合には、前記コネクターの前記第２の部分を前記第１の開口部及び前記第２の開口部を通じて前記キャビティ内へ挿入され、前記第１の部品及び第２の部品を接続する。分解するためには、圧力差、例えば前記コネクターの少なくとも１部の前記第２の部分上の第１の圧力及び前記コネクターの少なくとも１部の前記第１の部分上の第２の圧力であって、第１及び第２の圧力が異なる圧力である圧力差を用いて、前記第２の部分が前記キャビティから押し出され得る。このようにして、複雑なファスナーはもはや必要なく、単純なコネクターが使用され得ることとなる。
【０００６】
かかる圧力差を導入する例は、前記装置を通常の圧力での加圧室へ置き、かつ前記閉鎖室内の圧力を急激に下げることで可能となる。
【０００７】
開口部は、全ての種類の形状の穴を含み及び／又は全ての種類の形状の裂け目又は隙間又は亀裂又はスリットを含み得る。
【０００８】
１つの実施態様によれば、前記方法は前記ステップで定められ：
−第１に第１の方法で周囲圧力を変更し、及び
−第２に第２の方法で周囲圧力を変更することを含み、前記第１及び第２の方法が異なる方法であり、前記装置が、前記第１の変更に応じないように構成され、及び前記装置が前記押し出すために前記第２の変更に応じるように構成される。
【０００９】
この装置を分解する場合には、第１に周囲圧力が第１の方法で変更され、かつ第２に前記（第１に変更された）周囲圧力が第２の方法で変更される。前記第１及び第２の方法は異なる方法である。前記装置が前記第１の変更に実質的に対応せず、前記第２の変更に実質的に対応するという事実により、前記第１及び第２の部品が脱着されて前記組み立てられた装置が分解される。
【００１０】
１つの実施態様によれば、前記第１の周囲圧力の変更が第１の速度で前記周囲圧力を増加させて変更することで定められ、前記第２の周囲圧力の変更が第２の速度で前記周囲圧力を減少させて変更することで定められる。好ましくは、前記装置を分解する場合、第１に周囲圧力を第１の、例えば比較的小さい速度で増加させ、第２に周囲圧力を第２の、例えば比較的大きい速度で減少させる。
【００１１】
１つの実施態様によれば、前記方法は、前記第１の速度が第１の変更／時間間隔を定め、前記第２の速度が第２の変更／時間間隔を定め、及び前記第１の速度が前記第２の速度よりも小さく、前記第１及び第２の速度間の差が、前記第１の方法で前記周囲圧力を第１に変更することが前記コネクターによる実質的に閉鎖されているけれども前記キャビティに到達できるように、及び前記第２の方法で前記周囲圧力を第２に変更することが実質的に前記キャビティに到達できずにその結果前記コネクターを押し出すような、差である。好ましくは、前記周囲圧力の増加は比較的ゆっくりとする。この場合、前記コネクターは１００％前記キャビティを閉鎖しないという事実により、又は前記コネクターは比較的ゆっくりとした圧力変化を起こすように設計されているという事実により、前記周囲圧力の増加は前記キャビティに実質的に到達できる。前記（増加された）周囲圧力の減少は比較的迅速になされる。この場合、前記（増加された）周囲圧力は前記キャビティに実質的には到達できず、その結果前記コネクターが押し出される。
【００１２】
前記キャビティを閉鎖し及び／又は比較的ゆっくりと圧力を変化させるために、前記コネクターは、少なくとも１部分フレキシブルで及び／又は少なくとも１部分弾性であり、及び／又は以下の実施態様などで説明される脚部などのような可動及び／又はフレキシブル及び／又は弾性部分を含み得る。
【００１３】
１つの実施態様によれば、前記方法は、第３の部分を持つ前記コネクターにより定められ、前記第１の部分が前記第１の開口部のサイズよりも大きいサイズを持つヘッド部分を含み、前記第３の部分が前記ヘッド部分に接続される脚部の上部を含み、脚部は、前記第１の開口部及び第２の開口部を通じて前記第２の部分に挿入される間の第１の位置、前記キャビティに完全に挿入された後の第２の位置、及び前記第２の方法で前記周囲圧力を第２の変更をする間に第３の位置に押され、前記第１の位置及び第３の位置での前記脚部は前記第２の位置でよりもお互いにより近くに位置される。通常前記第１及び第３の位置は類似の位置であり得る。
【００１４】
１つの実施態様によると、前記方法は前記脚部により定められ、それぞれは前記第２の位置で前記コネクターをロックするための形状を含む。これにより前記組み立てられた装置の丈夫さが増加する。
【００１５】
１つの実施態様によれば、前記方法は、バルブ又はベンチルを含む前記コネクターにより定められる。かかるバルブ又はベンチルは前記第１及び第２の速度を相対的に同じに程度にし得る。
【００１６】
本発明の第２の側面によれば、装置が提供され、前記装置は、第１の開口部を持つ第１の部品、第２の開口部とキャビティを持つ第２の部品及び第１の部分及び第２の部分を含むコネクターを含み、第２の部分が前記第１の開口部及び第２の開口部を通じて前記第１の部品及び第２の部品を接続するために挿入されており、前記装置は、前記キャビティから前記第２の部分を押し出すために圧力差に応じるように構成される。この装置は上で説明した方法による分解に適したものである。
【００１７】
１つの実施態様によれば、前記装置は前記圧力差に応じることで定められ：
−第１の方法で周囲圧力を第１に変更することに対応せず、及び
−前記押し出しのために、第２の方法で周囲圧力を第２に変更することに対応することを含み、前記第１及び第２の方法が異なる方法である。
【００１８】
１つの実施態様によれば、前記装置は、第１に、前記第１の速度での周囲圧力の増加に応じる前記第１の方法で前記周囲圧力を前記第１に変更し、第２に、前記第２の速度での周囲圧力の減少に応じる前記第２の方法で前記周囲圧力を変更することで、定められる。
【００１９】
１つの実施態様によれば、前記装置は、第１の圧力変化／時間間隔を定める前記第１の速度、第２の圧力変化／時間間隔を定める前記第２の速度により定められ、及び前記第１の速度が前記第２の速度よりも小さく、前記第１及び第２の速度の差を、前記第１の方法での前記周囲圧力の第１の変化が、前記コネクターにより実質的に閉鎖されているが前記キャビティに到達でき、前記第２の方法での前記周囲圧力の第２の変化が、実質的前記キャビティに到達できず、その結果前記コネクターが押し出される、
様な差とされる。
【００２０】
１つの実施態様によれば、前記装置は第３の部分を持つ前記コネクターにより定められ、前記第１の部分が、ヘッド部分を持ち、前記第１の開口部よりも大きいサイズを持ち、前記第３の部分が前記ヘッド部分に接続される脚部の上部を含み、脚部は、前記第１の開口部及び第２の開口部を通じて前記第２の部分に挿入される間の第１の位置、前記キャビティに完全に挿入された後の第２の位置、及び前記第２の方法で前記周囲圧力を第２の変更の際の第３の位置にされ、前記第１の位置及び第３の位置での前記脚部は前記第２の位置でよりもお互いにより近くに位置される。通常前記第１及び第３の位置は類似の位置である。
【００２１】
１つの実施態様によれば、前記装置は前記脚部で定められ、前記脚部はそれぞれ前記第２の位置で前記コネクターをロックするための形状を含む。
【００２２】
１つの実施態様によれば、前記装置は、バルブ又はベンチルを含む前記コネクターで定められる。
【００２３】
本発明の第３の側面によれば、コネクターは、上で定められた装置の１以上で使用され得るように構成される。
【００２４】
かかるコネクターは、少なくとも部分的にフレキシブル及び／又は少なくとも部分的に弾性などであり、及び／又は可動な／フレキシブルな／弾性的部品及び／又はバルブ又はベンチルなどが含まれる
考えられることは、複雑なファスナーを避けることができ単純なコネクターが好ましいということである。
【００２５】
基本的考えは、第１の部品、第２の部品及びコネクターを含む装置を分解するために、押し出すために圧力差を用いる、ということである。
【００２６】
比較的単純なコネクターを含む装置を分解するための方法を提供するという課題が解決されたこととなる。
【００２７】
さらなる利点は、前記単純なコネクターは低コストかつ丈夫である、ということであり、またより過大でない圧力値を用いることができる（従来技術では７０〜８０バールを用い、本発明では１又は２バールを用いる）、ということである。
【００２８】
本発明のこれら及び他の側面は、以下に記載される実施態様を参照することで明らかとなり、理解されるであろう。
【図面の簡単な説明】
【００２９】
【図１】図１は、組み立てる際の装置を示す。
【図２】図２は、組み立てられた装置を示す。
【図３】図３は、第１の分解段階での装置を示す。
【図４】図４は、第２の分解段階での装置を示す。
【図５】図５は、第３の分解段階での装置を示す。
【発明を実施するための形態】
【００３０】
図１は、組み立てられている装置（組み立て段階）を示す。前記装置は第１の開口部を持つ第１の部品１、第２の開口部及びキャビティを持つ第２の部品２及びコネクター３を含む。組み立てられる際、前記コネクター３の前記下部分が、例えば手で、前記第１開口部及び第２開口部を通じて矢印で示される方向に前記キャビティ内に挿入されて前記第１部品１及び第２部品２を接続する。
【００３１】
図２は、組み立てられた装置を示す。前記コネクター３は、第１部分３１、第２部分３２及び第３部分３３を含む。前記第１部分３１は、ヘッド部分を持ちそのサイズは前記第１の開口部のサイズ（例えば直径として）よりも大きい。前記第３の部分３３は前記ヘッド部分に接続される脚部の上部を含み、前記第２部分３２は前記脚部の下部を含む。
【００３２】
図３は、装置の分解の第１段階を示す。周囲全てに第１の圧力Ｐ１、例えば２バールが存在する。
【００３３】
図４は、装置の分解の第２の段階を示す。前記キャビティ内では前記第１の圧力Ｐ１、例えば２バールがまだ存在するが、しかし前記脚部及び装置の外側では第２の圧力Ｐ２、例えば１バールが存在する。その結果、矢印で示されるように前記脚部に力が加えられる。
【００３４】
図５は、装置の分解の第３の段階を示す。前記力が矢印で示されており、前記コネクター３を前記第２の部品から押し出す。
【００３５】
図３〜５において、この第１の圧力Ｐ１は例えば第１の速度で生成され、第１の速度は比較的小さい速度であり、それにより圧力は第１の時間間隔の間前記第１の圧力Ｐ１が到達されるまで増加する。ここで第１の時間間隔は比較的長い時間間隔である。この第２の圧力Ｐ２は例えば第２の速度で生成され、第２の速度は比較的大きい速度であり、それにより圧力は第２の時間間隔の間前記第２の圧力Ｐ２が到達されるまで減少する。ここで第２の時間間隔は比較的短い時間間隔である。前記第１の時間間隔は第１の圧力Ｐ１が前記キャビティに到達できるものである。前記キャビティの閉鎖は、主に前記第１の圧力Ｐ１が前記第２の圧力Ｐ２が導入されるまで維持される程度のものである。前記第２の時間間隔及び前記キャビティの閉鎖は、前記コネクター３が押し出されるまで前記キャビティ内で前記第１の圧力Ｐ１と第２の圧力Ｐ２がお互いに混合されない程度、のものである。
【００３６】
前記装置は、前記第２の部分３２をキャビティから押し出すための圧力差に応じるように構成される。かかる圧力差を導入する例としては、前記装置を常圧（１バール）の圧力室に入れ、前記閉鎖圧力室内の圧力を急激に下げる（０．１バール）こと、である。
【００３７】
好ましくは（２バールから１バールへ変更することは、１バールから０．１バールへ変更するよりも容易であるという事実により）、前記装置は、前記第１の速度で第１の方法で周囲圧力を第１に増加させることに応じないように構成される。例えばＰ１が達成されるまで前記装置の周囲の圧力をゆっくりと増加させる。前記装置は、前記第１及び第２の部品を脱着させるために第２の速度で第２の方法で前記（第１に変更された）周囲圧力を第２に変更することに応じるように構成される。例えばＰ２が達成されるまで前記装置の周囲の前記（２増加された）圧力を急激に減少させる。
【００３８】
前記第１及び第２の速度の差は、前記第１の方法での前記周囲圧力の第１の変更が、前記コネコター３で実質的に閉鎖されているけれども前記キャビティに到達でき、及び前記第２の方法での前記（第１の増加された）周囲圧力の前記第２の変更が実質的に前記キャビティに到達できず、その結果前記コネクター３が押し出される程度である。前記周囲圧力の増加は比較的ゆっくりと行われる。この場合、前記コネクター３が１００％前記キャビティを閉じないという事実、又は前記コネクター３は比較的ゆっくりと圧力変化を生じるように設計されているという事実により、前記周囲圧力の増加は実質的に前記キャビティに到達できることとなる。前記（増加された）周囲圧力の減少は比較的急激に行われる。この場合、前記（増加された）周囲圧力の減少は前記キャビティに実質的に到達できず、その結果前記コネクター３は押し出される。
【００３９】
前記脚部は、前記第２の部分３２が前記第１及び第２の開口部を通じる際に第１の位置にある。前記脚部は、前記キャビティに完全に挿入された場合に第２の位置にある。前記第２の方法で前記（第１の増加された）周囲圧力を第２に変更する際に、第３の位置へ動かされる。前記第１及び第３の位置で、前記第２の位置よりも前記脚部はお互いにより近く位置する。好ましくは前記脚部は前記コネクター３をロックするため前記第２の位置で形状を持ち、前記組み立てられた装置の丈夫さを増加させる。
【００４０】
前記コネクター３がバルブ又はベンチラを持ち、これにより外部圧力を前記キャビティ内（外部圧力は前記キャビティ内の圧力よりも高い）へ導入するように構成され、及び前記キャビティ内の内部圧力がこのキャビティ（内部圧力は外部圧力よりも高い）から逃げることを防止するように構成される場合に、前記第１の時間間隔の長さは実質的に低減され、例えば前記第２の時間間隔の長さと比較的同じ程度になり得る。
【００４１】
本発明は、高価な労賃による、従来の製品分解のための費用の点で製品分解を改良するものである。この理由は、それぞれの接続が位置を確認した上でネジを外すかロックを解く必要があるからである。これはまた、１対１の分解と呼ばれるものである（それぞれのコネクターがロックを解くための作業を必要とする）。本発明の考え方は、消費者又は専門家用製品を圧力室へ入れ、例えばゆっくりと圧力を増加させ、その後急激に圧力を下げるということである。急激な圧力減少により、前記コネクターは前記製品から飛び出し、前記製品はその単一部品へばらばらになる。ここで提案されるコネクターは従来技術のような内部に閉鎖キャビティを持たず、前記第２部品内の前記キャビティが組み立ての際に前記コネクターで閉じられるものである。これにより、前記コネクターに、単純な開閉モールド構造を持たせることができる。
【００４２】
まとめると、装置の分解は、第１の開口部を持つ第１の部品１、第２の開口部とキャビティを持つ第２の部品２及び第１の部分３１と第２の部分３２を持つコネクター３を含み、前記第１及び第２の部品１，２を接続するために、前記キャビティ内に前記第１の開口部及び前記第２の開口部を通じて挿入され、前記第２の部分３２を前記キャビティから押し出すために圧力差を用いる、ものである。前記圧力差は第１の周囲圧力の変更を含み、例えば前記周囲圧力をゆっくりと増加させることであり、及び前記周囲圧力の第２の変更を含み、例えば前記周囲圧力を急激に変更することである。前記装置は、前記第１の変更に応じないように構成され、前記押し出しのために前記第２の変更に応じるように構成される。前記コネクターは脚部の上部を持つ第３の部分３３を含むことができ、前記第１部分３１がヘッド部分を含み、かつ前記第２の部分３２が前駆脚部の下部を含む。
【００４３】
本発明は、図面及び前記記載に基づいて詳細に説明され記載された。かかる図面及び記載は説明のため、例示のためのものでありなんら限定するものではない。本発明は開示された実施態様に限定されるものではない。例えば、本発明を、開示された実施態様とは異なる部品を用いて新たな実施態様へ組み合わせて実施することが可能である。
【００４４】
開示された実施態様の他の変更・変法実施態様は、図面及び開示内容及び特許請求の範囲から、当業者には理解されるものである。特許請求の範囲において、「含む」、「持つ」は、他の要素やステップを除外するものではなく、「１つの」は複数を除外するものではない。ある手段が相互に異なる従属請求項に記載されているという単なる事実は、これらの手段の組み合わせが有利に使用できない、ということを意味するものではない。特許請求の範囲で使用される符号は特許請求の範囲を限定するように解釈されるべきではない。
【図１】
2013501195.tif 000003
【図２】
2013501195.tif 000004
【図３】
2013501195.tif 000005
【図４】
2013501195.tif 000006
【図５】
2013501195.tif 000007
【国際調査報告】
2013501195.tif 000008
2013501195.tif 000009